(57)【要約】      （修正有）【課題】吸引時と注入時にフィルター付注射針と注射針を付け替える必要がなく、薬液の輸液剤等への注入作業が簡便で安全である注射針を提供すること。【解決手段】針基（３）の前方に針管（２）を植設し、前記針基３は、内腔に、前方から後方に亘って、順次、フィルタ（６）、弾性体（７）及びフィルタ支持部（８）を配置し、前記弾性体７及びフィルタ支持部（８）は、相互に連通する液体流路を形成し、前記フィルタ支持部（８）は、前方に突部（１１）を突設した注射針。【選択図】図１
0003119859.tif 000002
【実用新案登録請求の範囲】
【請求項１】
針基（３）の前方に針管（２）を植設し、
前記針基３は、内腔に、前方から後方に亘って、順次、フィルタ（６）、弾性体（７）及びフィルタ支持部（８）を配置し、
前記弾性体７及びフィルタ支持部（８）は、相互に連通する液体流路（９、１２）を形成し、
前記フィルタ支持部（８）は、前方に突部（１１）を突設した、ことを特徴とする注射針（１、２１）。
【請求項２】
前記フィルタ（６）の前方に、フィルタ支持部（１４）を配置し、当該フィルタ支持部（１４）は、前記弾性体（７）及びフィルタ支持部（８）の液体流路（９、１２）と連通する液体流路（１６）を形成したことを特徴とする請求項１記載の注射針（２１）。
【請求項３】
針基（５３）の前方に針管（５２）を植設し、
前記針基（５３）は、内腔に、前方から後方に亘って、順次、前方フィルタ支持部（５８）、フィルタ（５６）、弾性体（５７）及び後方フィルタ支持部（６０）を配置し、
前記前方フィルタ支持部（５８）は針基（５３）の内周壁全体に亘って形成し、
前記弾性体（５７）は液体流路（５９）を形成し、
前記後方フィルタ支持部（６０）は針基（５３）の内周壁に部分的に形成し、
前記前方フィルタ支持部（５８）と前記後方フィルタ支持部（６０）の間に、フィルタ（５６）及び弾性体（５７）の一端部を固定した、ことを特徴とする注射針（５１）。
【考案の詳細な説明】
【技術分野】
【０００１】
本発明は、フィルタ付き注射針の改良に関する。
【背景技術】
【０００２】
医療現場では、例えばガラス製アンプル内の薬液を、注射針で吸引採取し、生理食塩液や輸液剤に注入する作業が行われている。アンプルをカッター等で開封する際に、アンプル内の薬液中に、切り屑（ガラス片、微細なものは１０〜２０μｍ程度）が混入する場合がある。また凍結乾燥剤由来の不溶性微粒子が混入する場合もある。
これらの薬液を、そのまま注射針で吸引採取すると、切り屑（ガラス片）や不溶性微粒子も一緒に、生理食塩液や輸液剤に混入される虞がある。
これらの問題を解決するために、特許文献１のように、フィルタ付き注射針の考案が開示されている。当該考案は、針基内にフィルタを動かないように固定し、針管からシリンジ内に、薬液を吸引する際に、薬液中の異物が吸引されるのを阻止している。
【０００３】
しかしながら、当該考案では薬液を吸引採取する際にフィルター膜でろ過するため、薬液を注入する際に外さなければフィルターでろ過した異物が輸液剤などに混入することとなる。さらに、輸液剤の注入の際に通常の注射針を付け注入する必要があるため、付け替えに対する従事者の手間と、付け替え時の接触による汚染の可能性、針刺し事故の可能性及びコストが増加する。
【特許文献１】実公昭６１−２５８０５号公報（図２、図３参照）
【考案の開示】
【考案が解決しようとする課題】
【０００４】
本考案が解決しようとする問題点は、針基内に異物阻止用のフィルターを配置するのみでは、薬液吸引採取時と注入時に注射針を付け替える必要がある点である。
【課題を解決するための手段】
【０００５】
［１］本考案は、針基（３）の前方に針管（２）を植設し、
前記針基３は、内腔に、前方から後方に亘って、順次、フィルタ（６）、弾性体（７）及びフィルタ支持部（８）を配置し、
前記弾性体７及びフィルタ支持部（８）は、相互に連通する液体流路（９、１２）を形成し、
前記フィルタ支持部（８）は、前方に突部（１１）を突設した注射針（１、２１）を提供する。
［２］本考案は、前記フィルタ（６）の前方に、フィルタ支持部（１４）を配置し、当該フィルタ支持部（１４）は、前記弾性体（７）及びフィルタ支持部（８）の液体流路（９、１２）と連通する液体流路（１６）を形成した［１］記載の注射針（２１）を提供する。
［３］本考案は、針基（５３）の前方に針管（５２）を植設し、
前記針基（５３）は、内腔に、前方から後方に亘って、順次、前方フィルタ支持部（５８）、フィルタ（５６）、弾性体（５７）及び後方フィルタ支持部（６０）を配置し、
前記前方フィルタ支持部（５８）は針基（５３）の内周壁全体に亘って形成し、
前記弾性体（５７）は液体流路（５９）を形成し、
前記後方フィルタ支持部（６０）は針基（５３）の内周壁に部分的に形成し、
前記前方フィルタ支持部（５８）と前記後方フィルタ支持部（６０）の間に、フィルタ（５６）及び弾性体（５７）の一端部を固定した注射針（５１）を提供する。
【考案の効果】
【０００６】
本考案の注射針では、シリンジ内に薬液を吸引するときは異物もシリンジ内に導入されるが、薬液を注入する時は薬液のみがフィルターを通過し異物はフィルターで通過を阻止される。
このため、吸引時と注入時にフィルター付注射針と注射針を付け替える必要がなく、薬液の輸液剤等への注入作業が簡便で安全にでき、しかもコスト削減が期待できる。
【考案を実施するための最良の形態】
【０００７】
図１は本考案の注射針１の一例を示す断面図、図２（ａ）、（ｂ）は、それぞれ注射針１、５１の弾性体６、５６の実施例を示す正面図、図３（ａ）から（ｄ）は、それぞれ注射針１のフィルタ支持部８の実施例を示す概略図[（ａ）は正面図、（ｂ）は側面図]、図４（ａ）は、本考案の注射針１の非使用時または薬液注入時における部分断面図、図４（ｂ）は、薬液吸引時における部分断面図、図５は図４（ａ）のＡ−Ａ´の断面図である。
注射針１は針管２と針管２を前方に植設した針基３からなる。
【０００８】
［針基３］
針基３は、図１に例示するように、内腔に、前方から後方に亘って、順次、フィルタ６、弾性体７及びフィルタ支持部８を配置している。
また内周壁面３Ａは、テーパに形成され、シリンジ４のノズル部５のテーパ面に密嵌できるように形成されている。
【０００９】
［弾性体７］
弾性体７は図１、図２に例示するように、略円板状に形成され、その外周は、針基３の内周壁面３Ａに隙間なく装着される。図２（ａ）、（ｂ）に例示するように複数の液体流路９を形成している。
例えば図２（ｂ）に例示するように液体流路９の面積を狭くして、弾性体７本体の面積を多くすれば、変形した後の復元力（弾性反発力）を大きくすることができる。
フィルタ６と弾性体７は、変形する際に共動できるように、溶着（接着）等の手段により積層するのが良い。
弾性体７は、フィルタ６とフィルタ支持部８の（突部１１）の間に、配置することによって、フィルタ６を、突部１１で傷つけないようにしている。
弾性体７は、前記機能を有すれば、どのような形状でも良い。
【００１０】
［フィルタ支持部８］
フィルタ支持部８は図３（ａ）、（ｂ）に例示するように、略十字状に形成され、その外周は、針基３の内周壁面３Ａに装着されている。また略中央部の前方に突部１１を突設し、さらに前記弾性体７の液体流路９と連通する液体流路１２を形成している。突部１１の長さ（大きさ）は、前記弾性体７の中心部分と接触する程度に形成されている。
フィルタ支持部８は、例えば針基３の内腔にフィルタ６と弾性体７を装填した後に、内周壁面３Ａにインサート成形で固定しても良いし、内周壁面３Ａに溝を形成し溝に嵌合して固定するようにしてもよい。フィルタ支持部８は、前記機能を有すれば、どのような形状でもよい。
【００１１】
次に本考案の注射針１の使用方法の一例について、アンプル内の薬液を、吸引する場合について説明する。
図４（ａ）に例示するように、非使用時は針基３の前方内壁面にフィルタ６が接触している。シリンジ４内のピストン（図示せず）を引いて、図４（ｂ）に例示するように、針管２から薬液を矢印のように、針基３内に吸引すると、フィルタ６及び弾性体７の外周（フィルタ支持部８の突部１１に接触していない部分）が、薬液に押されて、針基３後方へ向けて変形する。
この時、図５に例示するように針基３の内周壁面３Ａとフィルタ６及び弾性体７の外周面との間に隙間１３ができ、薬液中の異物（ガラス片等）も、針基３の内腔内に導入される。吸引が終了すると、弾性体７自身の弾性回復力により、フィルタ６及び弾性体７は、図４（ａ）の状態に戻る。
吸引した薬液をシリンジ４内のピストン（図示せず）を押して、注入する際には、薬液が図４（ａ）の矢印のように、フィルタ６及び弾性体７を、針基３前方内壁面に押し付けるので、フィルタ６及び弾性体７と針基３の内周壁面３Ａの間に、隙間１３はない。薬液のみがフィルタ６を通過して、針管２を経て注入され、異物は針基３内腔内に留められることになる。
以上のように、シリンジ４内に薬液を吸引するときは、異物はシリンジ４内に導入されるが、注入時には薬液のみがフィルタ６を通過し、異物は、フィルタ６で通過を阻止され、薬液と一緒に注入されない。
【００１２】
図６はその他の実施例を示す本考案の注射針２１の断面図、図７（ａ）は注射針２１の非使用時または薬液注入時における部分断面図、図７（ｂ）は、薬液吸引時における部分断面図、図８は注射針２１のフィルタ支持部１４の正面図である。
注射針２１は、注射針１と比較して、フィルタ６の前方に、フィルタ支持部１４を配置した点で異なる。その他の形状、使用方法等は注射針１と実質的に同じであるから詳細な説明は省略する。
【００１３】
［フィルタ支持部１４］
フィルタ支持部１４は図６ないし図８に例示するように、針基３前方内壁面とフィルタ６の間に配置されている。フィルタ支持部１４は図８に例示するように略十字状とリングの組み合わせにより形成され、その外周は、針基３の内周壁面３Ａに装着されている。さらに弾性体７及びフィルタ支持部８の液体流路９、１２と連通する液体流路１６を形成している。
フィルタ支持部１４は、針基３の内周壁面３Ａにインサート成形で固定しても良いし、内周壁面３Ａに溝を形成して、溝に嵌合して固定しても良い。
フィルタ支持部１４は、前記機能を有すれば、どのような形状でもよい。
【００１４】
図９は本考案のその他の実施例を示す注射針５１の断面図、図１０（ａ）は注射針２１の非使用時または薬液注入時における部分断面図、図１０（ｂ）は、薬液吸引時における部分断面図、注射本考案の注射針では、シリンジ内に薬液を吸引するときは異物もシリンジ内に導入されるが、薬液を注入する時は薬液のみがフィルターを通過し異物はフィルターで通過を阻止される。
このため、吸引時と注入時にフィルター付注射針と注射針を付け替える必要がなく、薬液の輸液剤等への注入作業が簡便で安全にでき、しかもコスト削減が期待できる。
針５１は、針管５２と針管を前方に植設した針基５３からなる。
【００１５】
［針基５３］
針基５３は図９に例示するように、内腔に、前方から、順次、前方フィルタ支持部５８、フィルタ５６、弾性体５７、及び後方フィルタ支持部６０を配置している。
また内周壁面５３Ａは、テーパに形成され、シリンジ５４のノズル部５５のテーパ面に密嵌できるように形成されている。
［前方フィルタ支持部５８、後方フィルタ支持部６０］
前方フィルタ支持部５８は図９から図１０に例示するように、針基５３の内周壁全体に亘って形成し（連続ないし不連続のどちらでも良い）、後方フィルタ支持部６０は針基５３の内周壁に部分的（例えば全周の長さに対して、略二分の一ないし略三分の一程度の長さ、連続ないし不連続のどちらでも良い）に形成している。
前方フィルタ支持部５８と後方フィルタ支持部６０の間に、フィルタ５６及び弾性体５７が抜けないように一端部を固定している。フィルタ５６と弾性体５７は、変形する際に共動できるように、溶着（接着）等の手段により積層するのが良い。
【００１６】
次に本考案の注射針５１の使用方法の一例について、アンプル内の薬液を、吸引する場合について説明する。
図１０（ａ）に例示するように、非使用時は前方フィルタ支持部５８の後方壁面にフィルタ５６が接触している。シリンジ５４内のピストン（図示せず）を引いて、図１０（ｂ）に例示するように、針管５２から薬液を矢印のように、針基５３内に吸引すると、フィルタ５６及び弾性体５７の一端部（前方フィルタ支持部５８と後方フィルタ支持部６０の間に固定されていない一端部）が、薬液に押されて、針基５３後方方向へ向けて変形する。
この時、図１０（ｂ）に例示するように前方フィルタ支持部５８とフィルタ５６及び弾性体５７の間に隙間６３ができ、薬液中の異物も、針基５３の内腔内に導入される。吸引が終了すると、弾性体５７自身の弾性回復力により、フィルタ５６及び弾性体５７は、図１０（ａ）の状態に戻る。
吸引した薬液をシリンジ５４内のピストン（図示せず）を押して、注入する際には、薬液が図１０（ａ）の矢印のように、フィルタ５６及び弾性体５７を、前方フィルタ支持部５８後方壁面を押し付けるので、フィルタ５６及び弾性体５７と前方フィルタ支持部５８後方壁面の間に、隙間６３はない。このため薬液のみがフィルタ５６を通過して、針管５２を経て注入され、異物は針基５３内腔内に留められることになる。
以上のように、シリンジ５４内に薬液を吸引するときは、異物は隙間６３によりシリンジ５４内に導入されるが、注入時には薬液のみがフィルタ５６を通過し、異物は、フィルタ５６で通過を阻止され、薬液と一緒に注入されない。
【図面の簡単な説明】
【００１７】
【図１】本考案の注射針の断面図
【図２】図１の弾性体の実施例を示す正面図
【図３】図１のフィルタ支持部の実施例を示す概略図［（ａ）は正面図、（ｂ）は側面図］
【図４】図１の注射針の（ａ）非使用時または薬液注入時における部分断面図、（ｂ）薬液吸引時における部分断面図
【図５】図４（ｂ）のＡ−Ａ´の断面図
【図６】本考案の注射針のその他の実施例の断面図
【図７】図６の注射針の（ａ）非使用時または薬液注入時における部分断面図、（ｂ）薬液吸引時における部分断面図
【図８】図６のフィルタ支持部の実施例を示す正面図
【図９】本考案の注射針のその他の実施例の断面図
【図１０】図９の（ａ）非使用時または薬液注入時における部分断面図、（ｂ）薬液吸引時における部分断面図
【符号の説明】
【００１８】
１、２１、５１  注射針
２、５２  針管
３、５３  針基
３Ａ、５３Ａ  内周壁面
４、５４  シリンジ
５、５５  ノズル
６、５６  フィルタ
７、５７  弾性体
８  フィルタ支持部
９、５９  液体流路
１１  突部
１２  液体流路
１３、６３  隙間
１４  フィルタ支持部
１６  液体流路
５８  前方フィルタ支持部
６０  後方フィルタ支持部
【図４】
0003119859.tif 000003
【図６】
0003119859.tif 000004
【図７】
0003119859.tif 000005
【図１】
0003119859.tif 000006
【図２】
0003119859.tif 000007
【図３】
0003119859.tif 000008
【図５】
0003119859.tif 000009
【図８】
0003119859.tif 000010
【図９】
0003119859.tif 000011
【図１０】
0003119859.tif 000012